(57)【特許請求の範囲】
【請求項１】
排水溝の上端に取り付けて用いられる嵩上げブロックであって、
前記排水溝の側壁が起立する方向に沿って延設され、前記側壁の内表面と面一な流路面を有する嵩上げ部と、
前記排水溝の上端部分と当接する当接部と、
前記側壁の外表面に沿って前記排水溝の底方向に延設された控壁部と、を具備し、
前記嵩上げ部と前記当接部と前記控壁部との前記排水溝の流路方向における両端面には止水材がそれぞれ取り付けられていて、
一方の端面における前記止水材が嵩上げブロックの肉厚方向における中心位置よりも外側に偏心させた位置のみに取り付けられ、他方の端面における前記止水材が嵩上げブロックの肉厚方向における中心位置よりも内側に偏心させた位置のみに取り付けられていることを特徴とする嵩上げブロック。
【請求項２】
排水溝の上端に取り付けて用いられる嵩上げブロックであって、
前記排水溝の側壁が起立する方向に沿って延設され、前記側壁の内表面と面一な流路面を有する嵩上げ部と、
前記排水溝の上端部分と当接する当接部と、
前記排水溝の底面と平行な方向に延設された控壁部と、を具備し、
前記嵩上げ部と前記当接部と前記控壁部との前記排水溝の流路方向における両端面には止水材がそれぞれ取り付けられていて、
一方の端面における前記止水材が嵩上げブロックの肉厚方向における中心位置よりも外側に偏心させた位置のみに取り付けられ、他方の端面における前記止水材が嵩上げブロックの肉厚方向における中心位置よりも内側に偏心させた位置のみに取り付けられていることを特徴とする嵩上げブロック。
【請求項３】
前記控壁部の下端部には、前記側壁の外表面に当接する当接突部が設けられていることを特徴とする請求項１記載の嵩上げブロック。
【請求項４】
前記嵩上げ部には、前記嵩上げ部を壁厚方向に貫通する貫通孔が穿設されていることを特徴とする請求項１〜３のうちのいずれか一項に記載の嵩上げブロック。
【発明の詳細な説明】
【技術分野】
【０００１】
本発明は排水溝に取り付けて用いる嵩上げブロックに関する。
【背景技術】
【０００２】
排水溝の排水能力を向上させる際において、排水溝を有効利用する方法として、排水溝の嵩を上げる方法がある。このような排水溝の嵩上げするための方法としては、排水溝の側壁部を現場打ちコンクリートにより延長する方法が広く知られている。このような現場打ちコンクリートによる排水溝の嵩上げを行う方法の一例として、特許文献１に開示されているような方法が提案されている。
【先行技術文献】
【特許文献】
【０００３】
【特許文献１】特開２００２−６１３２０号公報
【発明の概要】
【発明が解決しようとする課題】
【０００４】
一般に、現場打ちコンクリートは、コンクリート打設用の型枠を施工現場に形成する必要がある他、コンクリート打設作業および養生等が必要になる。このため、施工現場への材料の搬入に手間がかかる他、施工に要する工期が長くなり、その分施工コストも高くなってしまうといった不都合がある。
【０００５】
そこで本発明は上記課題を解決すべくなされ、その目的とするところは、短期間でしかも簡易な構成を採用することにより、排水溝の嵩上げ工事を低コストで行うことを可能にした嵩上げブロックを提供することにある。
【課題を解決するための手段】
【０００６】
上記課題を解決するために本発明者が鋭意研究した結果、以下の構成に想到した。
すなわち本発明は、排水溝の上端に取り付けて用いられる嵩上げブロックであって、前記排水溝の側壁が起立する方向に沿って延設され、前記側壁の内表面と面一な流路面を有する嵩上げ部と、前記排水溝の上端部分と当接する当接部と、前記側壁の外表面に沿って前記排水溝の底方向に延設された控壁部と、を具備し、前記嵩上げ部と前記当接部と前記控壁部との前記排水溝の流路方向における両端面には止水材がそれぞれ取り付けられていて、一方の端面における前記止水材が嵩上げブロックの肉厚方向における中心位置よりも外側に偏心させた位置のみに取り付けられ、他方の端面における前記止水材が嵩上げブロックの肉厚方向における中心位置よりも内側に偏心させた位置のみに取り付けられていることを特徴とする。
【０００７】
また、他の発明は、排水溝の上端に取り付けて用いられる嵩上げブロックであって、前記排水溝の側壁が起立する方向に沿って延設され、前記側壁の内表面と面一な流路面を有する嵩上げ部と、前記排水溝の上端部分と当接する当接部と、前記排水溝の底面と平行な方向に延設された控壁部と、を具備し、前記嵩上げ部と前記当接部と前記控壁部との前記排水溝の流路方向における両端面には止水材がそれぞれ取り付けられていて、一方の端面における前記止水材が嵩上げブロックの肉厚方向における中心位置よりも外側に偏心させた位置のみに取り付けられ、他方の端面における前記止水材が嵩上げブロックの肉厚方向における中心位置よりも内側に偏心させた位置のみに取り付けられていることを特徴とする。
【０００８】
これらにより、予め成形されている嵩上げブロックを既設の排水溝の上端に載置するだけで、既設の排水溝の嵩上げをすることができ、短期間での施工が可能になり、ひいては低コストで既設の排水溝の嵩上げを行うことができる。また、嵩上げブロックどうしが当接する部分には、止水材が配設されているので、嵩上げブロックの継ぎ目部分からの水漏れを確実に防止することができる。
【０００９】
また、前記控壁部の下端部には、前記側壁の外表面に当接する当接突部が設けられていることが好ましい。
【００１０】
これにより、上端部にいわゆる顎部分が形成された排水溝に嵩上げブロックを取り付けする際において、嵩上げブロックを安定させた状態にすることができる。
【００１１】
また、前記嵩上げ部には、前記嵩上げ部を壁厚方向に貫通する貫通孔が穿設されていることが好ましい。
【００１２】
これにより、隣接する嵩上げブロックを連結する連結部材を確実に取り付けすることができるため、止水材と嵩上げブロックの端面との密着度を高めることができ、嵩上げブロックの継ぎ目部分からの水漏れをより確実に防止することができる。また、水路の延長方向において嵩上げブロックどうしを連結することにより、供用後における嵩上げブロックの位置ずれを防止することもできる。
【発明の効果】
【００１３】
本発明にかかる嵩上げブロックの構成を採用することにより、排水溝の嵩上げ処理を短期間で施工することができ、排水溝の嵩上げ工事における施工コストの低減が可能になる。また、嵩上げブロックどうしが当接する部分には、止水材が配設されているので、嵩上げブロックの継ぎ目部分からの水漏れを確実に防止することができる。
【図面の簡単な説明】
【００１４】
【図１】第１実施形態における嵩上げブロックの斜視図である。
【図２】図１に示す嵩上げブロックを排水溝に設置した状態を示す斜視図である。
【図３】図１に示す嵩上げブロックの変形例を排水溝に設置した状態を示す排水溝の流路断面図である。
【図４】第２実施形態における嵩上げブロックの斜視図である。
【図５】図４に示す嵩上げブロックを排水溝に設置した状態を示す斜視図である。
【図６】図４に示す嵩上げブロックを排水溝に設置した状態を示す排水溝の流路断面図である。
【図７】第３実施形態における嵩上げブロックの斜視図である。
【図８】図７に示す嵩上げブロックを長手方向に連結した際における要部拡大平面図である。
【図９】第４実施形態における嵩上げブロックを排水溝に設置した状態を示す排水溝の流路断面図である。
【図１０】第５実施形態における嵩上げブロックを排水溝に設置した状態を示す排水溝の流路断面図である。
【図１１】第６実施形態における嵩上げブロックの流路方向における連結部分の拡大図（Ａ）と、Ｂ−Ｂ線における断面図（Ｂ）と、Ｃ−Ｃ線における断面図（Ｃ）である。
【発明を実施するための形態】
【００１５】
以下、本発明にかかる嵩上げブロックの実施形態について、図面に基づいて説明する。
【００１６】
（第１実施形態）
図１および図２は第１実施形態にかかる嵩上げブロックを示す説明図である。本実施形態にかかる嵩上げブロック２０は、排水溝の上端面に積み重ね可能な変形Ｚ型をなすいわゆるクランク形状に形成されている。ここでは排水溝として既設のＵ字溝１０を用いた形態について説明を行うものとする。なお、図２は、Ｕ字溝１０の周辺にある土砂の表示を省略している。
【００１７】
本実施形態における嵩上げブロック２０は、Ｕ字溝１０の側壁１２が起立する方向に沿って延設された嵩上げ部２２と、側壁１２の上端部分１４と当接する当接部２４と、側壁１２の外表面１６に沿ってＵ字溝１０の底１８に向って延設された控壁部２６と、を有している。嵩上げ部２２の内側面は側壁１２の内表面１２Ａと面一な流路面を形成している。当接部２４はＵ字溝１０の側壁１２の上端部分１４に位置決めされた状態で積み重ねることができるように、側壁１２の上端部分１４と嵌合可能な形状に形成されている。本実施形態においては、嵩上げ部２２と当接部２４と控壁部２６とにより嵩上げブロック２０が形成されている。
【００１８】
嵩上げブロック２０は既設のＵ字溝１０の流路延長方向が長手方向になっており、嵩上げブロック２０の長手方向における一方の端面（図１および図２において手前側の面）には、嵩上げ部２２、当接部２４、控壁部２６の高さ方向の全範囲にわたって止水材３０が配設されている。止水材３０は公知のものを用いることができるが、いわゆる合成ゴムにより形成された止水用パッキンが好適に用いられる。止水材３０は、嵩上げブロック２０に止水材３０の一部を埋設させた状態で一体化されている。また、図３に示すように、Ｕ字溝１０の側壁１２の上端部分１４との当接部分にも止水材３０を配設してもよい。
【００１９】
また、嵩上げ部２２には、嵩上げ部２２の壁厚方向（部材厚さ方向）に貫通する貫通孔２８が穿設されている。この貫通孔２８は嵩上げブロック２０の長手方向の両端部近傍位置に配設されている。貫通孔２８には既設のＵ字溝１０の流路延長方向において隣り合う嵩上げブロック２０どうしにおいて隣接する貫通孔２８に、締結手段であるねじおよびナット（いずれも図示せず）を用いて連結板４０が取り付けられている。このように連結板４０を用いて隣接する嵩上げブロック２０どうしを連結することで、隣り合う嵩上げブロック２０どうしが密着した状態が維持され、嵩上げブロック２０の当接面に配設されている止水材３０による止水効果を高めることができる。
【００２０】
なお、図２においては、連結板４０をＵ字溝１０の流路側面に取り付けた形態について説明しているが、連結板４０を嵩上げ部２２の外表面側に取り付けることもできる。
また、貫通孔２８に代えて、連結用穴を形成し、連結用穴の内周面に雌ねじを形成した形態を採用することもできる。
【００２１】
本実施形態にかかる嵩上げブロック２０を用いることにより、排水溝である既設のＵ字溝１０の排水能力を向上させる（流路断面積を増加させる）際において、既設のＵ字溝１０を使用しながらＵ字溝１０の嵩上げを簡単にかつ短期間で行うことができる。また、嵩上げブロック２０どうしが当接する嵩上げブロック２０の長手方向における両端面のうち一方の端面には止水材３０が配設されているので、嵩上げした部分に水が流れても嵩上げブロック２０の連結部分から水漏れが生じることがない。これにより、信頼性の高い既設のＵ字溝１０の嵩上げ処理を行うことができる。
【００２２】
（第２実施形態）
図４〜図６は第２実施形態にかかる嵩上げブロックを示す説明図である。本実施形態にかかる嵩上げブロック２０もまた、第１実施形態と同様に排水溝の上端面に積み重ね可能な形状に形成されている。ここでも排水溝として既設のＵ字溝１０を用いた形態について説明を行うものとする。
また、本実施形態において第１実施形態と同様の構成部分については、第１実施形態と同じ符号を用いることによりここでの詳細な説明は省略している。そして、図５も第１実施形態における図２と同様にＵ字溝の周辺土砂の表示を省略している。
【００２３】
本実施形態における嵩上げブロック２０は、嵩上げ部２２と、当接部２４と、Ｕ字溝１０の底１８に平行な方向（水平方向）に延設された控壁部２６と、を具備している。図４に示すように、本実施形態にかかる嵩上げブロック２０は略Ｌ字型に形成されている。この他貫通孔２８および連結板４０と、止水材３０についても第１実施形態と同様に配設することができる。
【００２４】
また、控壁部２６の下面には支持柱５０が配設されている。図５に示すように本実施形態にかかる支持柱５０は、Ｕ字溝の１０の流路延長方向に所要間隔をあけて配設されている。支持柱５０の材料は特に限定されるものではないが、合成樹脂やコンクリートにより形成されたものが好適である。
【００２５】
本実施形態にかかる嵩上げブロック２０は以上に説明したとおり、嵩上げ部２２、当接部２４、控壁部２６と、を有している点で共通している。しかしながら本実施形態における控壁部２６は、Ｕ字溝１０の側壁１２の外表面１６にほぼ直交する方向（ここでは水平方向）に延設されている点が特徴的である。さらに控壁部２６の下面には支持柱５０が配設されていることも特徴的である。
【００２６】
このような構成の嵩上げブロック２０を採用することで、Ｕ字溝１０および嵩上げブロック２０の周辺から作用する土圧により、嵩上げブロック２０がＵ字溝１０の流路部分への倒れ込みおよびＵ字溝１０の流路部分から外側への倒れ込みのそれぞれを防止することができる点において好都合である。
また、既成のＵ字溝１０では、流路断面（排水能力）が不足してしまう場合であっても、設置平面積を変えることなく流路断面を増加させることができる点においても好都合である。
【００２７】
（第３実施形態）
図７と図８は第３実施形態にかかる嵩上げブロックを示す説明図である。本実施形態は第１実施形態の変形例である。ここでも排水溝として既設のＵ字溝１０を用いた形態について説明を行うものとする。
また、本実施形態以降においても、先に説明した実施形態と同様の構成部分については、先に説明した実施形態と同じ符号を用いることにより、それぞれについての詳細な説明は省略している。
【００２８】
本実施形態においては、図７に示すように嵩上げブロック２０の長手方向における一方の端面２９Ａと他方の端面２９Ｂとの両方に止水材３０Ａ，３０Ｂが配設されている点が特徴的である。一方の端面２９Ａにおいては、嵩上げブロック２０の部材厚さ方向における中心位置よりも外側（外側に偏心させた）位置に止水材３０Ａが配設されている。これに対し、他方の端面２９Ｂにおいては、嵩上げブロック２０の部材厚さ方向における中心位置よりも内側（内側に偏心させた）位置に止水材３０Ｂが配設されている。
【００２９】
このように、嵩上げブロック２０の長手方向における両端面２９Ａ，２９Ｂに配設する止水材３０Ａ，３０Ｂを嵩上げブロック２０の部材厚さ中心位置からずらした位置に配設している点が本実施形態における最大の特徴点である。
【００３０】
本実施形態にかかる嵩上げブロック２０を長手方向に連結した状態について説明する。図８は、２つの嵩上げブロック２０ｘ，２０ｙをＵ字溝１０の流路方向（長手方向）に連結させた際における要部拡大平面図である。符号２２ｘ，２２ｙは、それぞれの嵩上げブロック２０ｘ，２０ｙの嵩上げ部である。符号２６ｘ，２６ｙは、それぞれの嵩上げブロック２０ｘ，２０ｙの控壁部である。
【００３１】
本実施形態にかかる嵩上げブロック２０を長手方向に連結すると、嵩上げブロック２０ｘの他方の端面２９Ｂと、嵩上げブロック２０ｙの一方の端面２９Ａとが当接することになる。先にも説明したとおり、一方の端面２９Ａに配設した止水材３０Ａと他方の端面２９Ｂに配設した止水材３０Ｂとは、嵩上げブロック２０の厚さ方向における配設位置がそれぞれ異なっている。したがって、嵩上げブロック２０ｘ，２０ｙを長手方向に連結させた際に、止水材３０Ａと３０Ｂとが重なることがなく好都合である。さらには、嵩上げブロック２０の厚さ方向における２箇所に止水材３０Ａ，３０Ｂを配設した形態にすることができ、嵩上ブロック２０ｘ，２０ｙの連結部分からの止水性をさらに向上させることができる。
【００３２】
（第４実施形態）
以上の実施形態においては、Ｕ字溝１０の側壁１２の厚さ寸法が高さ方向に一定の厚さ寸法に形成されている形態について説明しているが、近年においては、図９に示すように、側壁１２の上端部分１４にいわゆる顎部１９と称される幅広部分が形成されているＵ字溝１０を使用する現場の方が圧倒的に多い。このような顎部１９を有するＵ字溝１０に対しては、控壁部２６の下端部に側壁１２の外表面１６に当接する当接突部２７を形成した嵩上げブロック２０の形態を採用することが好ましい。
【００３３】
図９に示す当接突部２７がＵ字溝１０の側壁１２の外表面１６に当接することで、顎部１９を有するＵ字溝１０にあっても嵩上げブロック２０を安定した状態で設置することができるため好都合である。
【００３４】
（第５実施形態）
図１０に示す嵩上げブロック２０は、固定具６０を有している点が特徴的である。固定具６０は内壁面当接板６１と内壁面当接板６１に直交させて接合したネジ６２とネジ６２を締結するためのナット６３を有し、変形Ｔ字型に形成されている。内壁面当接板６１は嵩上げブロック２０のクランク部分から嵩上げブロック２０とＵ字溝１０の上端部分１４を超える範囲にわたって側壁１２の内表面１２Ａに当接している。
【００３５】
このような固定具６０は、嵩上げ部２２と控壁部２６とを貫通して穿設した貫通孔６６にネジ６２を側壁１２の内表面１２Ａ側から挿通させ、控壁部２６の外表面にナット６３を用いてネジ６２を締結することで嵩上げブロック２０を既設のＵ字溝１０に強固に固定することができる。
【００３６】
（第６実施形態）
本実施形態における嵩上げブロック２０は、流路方向の連結構造７０が特徴点である。本実施形態における嵩上げブロック２０は、図１１（Ａ）〜（Ｃ）に示すように、流路方向の連結部分における嵩上げ部２２の外側面に凹部７１が形成されている。この凹部７１の流路方向の連結部分側の所要範囲には、流路方向に伸びる管体７２が配設されていて、管体７２はコンクリート等の充てん材７３に埋設されている。このように凹部７１は、流路方向における連結部分側が充てん材７３で充てんされているが、他の部分は依然として凹部に形成されている。このような連結構造７０は、嵩上げ部２２の他に控壁部２６に配設することもできる。
【００３７】
嵩上げブロック２０を流路方向に連結する際は、互いの連結部分どうしを向い合せて、管体７２の開口面を対向させる。そして、一方の凹部７１から連結ボルト７４をそれぞれの管体７２に挿通させ、連結ボルト７４の両端部分にナット７５を用いて締結する。ナット７５を締め付けることにより、流路方向に隣接する嵩上げブロック２０どうしの連結面を密着させ、嵩上げブロック２０どうしを確実に連結することができる。これにより止水材３０と嵩上げブロック２０の密着性を向上させることもできる。
このような連結構造７０を採用することにより、Ｕ字溝１０への嵩上げブロック２０の着脱もできるようになり、嵩上げブロック２０の再利用が可能になる点においても好都合である。
【００３８】
以上に本発明にかかる嵩上げブロック２０について実施形態に基づいて詳細に説明を行ったが、本発明にかかる嵩上げブロック２０は以上に説明した実施形態の構成に限定されるものではない。例えば、以上の実施形態においては、嵩上げブロック２０の取り付け対象である排水溝を既設のＵ字溝１０としているが、新設のＵ字溝に嵩上げブロック２０を装着することも可能である。
【００３９】
また、以上の実施形態では、Ｕ字溝１０の側壁１２のそれぞれの上端部分１４に嵩上げブロック２０を取り付けた形態について説明しているが、Ｕ字溝１０のいずれか一方の側壁１２の上端部分１４のみに嵩上げブロック２０を取り付けした形態とすることもできる。このように一方の側壁１２のみに嵩上げブロック２０を取り付けることで、Ｕ字溝１０の側壁１２の高さをＵ字溝１０の敷設方向に対して左右非対称にすることができる。このようなＵ字溝１０は、傾斜地に敷設する際等において特に好都合である。このとき嵩上げブロック２０は、擁壁としての機能を期待することもできる。
【００４０】
また、第２実施形態においては、控壁部２６の下面に支持柱５０を配設した形態例について説明しているが、支持柱５０の配設を省略した形態を採用することも可能である。また、支持柱５０は、嵩上げブロック２０の長手方向における長さ寸法と等しい長さ寸法に形成したものを用いることもできる。
【００４１】
また、第３実施形態においては、嵩上げブロック２０の長手方向の両端面のうち、一方の端面２９Ａと他方の端面２９Ｂとのそれぞれに止水材３０Ａ，３０Ｂを配設した形態について説明したが、一方の端面２９Ａまたは他方の端面２９Ｂの嵩上げ部２２ｘ（２２ｙ）の範囲に、止水材３０Ａまたは３０Ｂに代えて、モルタル充填用の凹溝（図示せず）を形成した形態を採用することもできる。
【００４２】
さらには、以上の実施形態および各種の変形例を適宜組み合わせた構成を採用することもできる。
【符号の説明】
【００４３】
１０  Ｕ字溝，１２  側壁，１２Ａ  内表面，１４  上端部分，１６  外表面，
１８  底，１９  顎部，
２０  嵩上げブロック，２２  嵩上げ部，２４  当接部，２６  控壁部，
２７  当接突部，２８  貫通孔，２９Ａ  一方の端面，２９Ｂ  他方の端面，
３０，３０Ａ，３０Ｂ  止水材，
４０  連結板，
５０  支持柱，
６０  固定具，６１  内壁面当接板，６２  ネジ，６３  ナット，
７０  連結構造，７１  凹部，７２  管体，７３  充てん材，７４  連結ボルト，
７５  ナット
【図１】
0006571354.tif 000002
【図２】
0006571354.tif 000003
【図３】
0006571354.tif 000004
【図４】
0006571354.tif 000005
【図５】
0006571354.tif 000006
【図６】
0006571354.tif 000007
【図７】
0006571354.tif 000008
【図８】
0006571354.tif 000009
【図９】
0006571354.tif 000010
【図１０】
0006571354.tif 000011
【図１１】
0006571354.tif 000012